(57)【要約】【課題】高速ダウンリンクパケットアクセスチャネルおよび強化アップリンク専用チャネルの少なくとも一方をサポートするように設けられた移動無線通信装置を提供する。【解決手段】上記チャネルの少なくとも一方のサポートをネットワークコントローラに対して信号処理する手段と、回線交換接続が要求されたことを決定するための手段とを含み、上記装置は回線交換接続が要求されると、上記少なくとも一方のチャネルのサポートを信号処理するように設けられ、これによって、移動無線通信装置ネットワークの無線ネットワークコントローラは上記少なくとも一方のチャネルを回線交換信号交換のために割当てることができるようになる移動無線通信装置を提供する。【選択図】図１
2009505447.tif 000002
【特許請求の範囲】
【請求項１】
高速ダウンリンクパケットアクセスチャネルおよび強化アップリンク専用チャネルの少なくとも一方をサポートするように設けられた移動無線通信装置であって、上記チャネルの少なくとも一方をサポートするためにネットワークコントローラに対して信号処理をする手段と、回線交換接続が要求されたことを決定するための手段とを含み、上記装置は回線交換接続が要求されると、上記少なくとも一方のチャネルのサポートを信号処理するように設けられ、これによって、移動無線通信装置ネットワークの無線ネットワークコントローラは上記少なくとも一方のチャネルを回線交換信号交換のために割当てることができるようになる移動無線通信装置。
【請求項２】
上記回線交換接続が要求されたことを決定するための手段は、そのような回線交換接続が要求されたことを上記移動無線通信装置から信号処理するための手段を含む請求項１に記載の装置。
【請求項３】
移動無線通信ネットワークのためのネットワークコントローラ装置であって高速ダウンリンクパケットアクセスチャネルおよび強化アップリンク専用チャネルの少なくとも一方をサポートすることを指示する信号を移動無線通信装置から受信するための手段を含み、上記ネットワークコントローラ装置は高速ダウンリンクパケットアクセスチャネルあるいはアップリンク専用チャネルのそれぞれを回線交換信号交換のために上記移動無線通信装置に割当てるように設けられるネットワークコントローラ装置。
【請求項４】
移動無線通信装置との以降の回線交換信号交換のために回線交換ベアラを割当てるように設けられる請求項３に記載のネットワークコントローラ装置。
【請求項５】
実行中の回線交換信号交換の以降の処理のために従来の専用チャネルを割当てるように設けられる請求項４７に記載のネットワークコントローラ装置。
【請求項６】
上記特定の回線交換信号に関連するセル構造を使用するためにセル内の要求を修正するように設けられる請求項３、４、又は５に記載のネットワークコントローラ装置。
【請求項７】
移動無線通信網内で移動無線通信装置とネットワークコントローラとの間の回線交換信号処理方法であって、回線交換信号処理を提供するために高速ダウンリンクパケットアクセスチャネルおよび強化アップリンク専用チャネルの少なくとも一方を使用するステップを含む回線交換信号処理方法。
【請求項８】
上記チャネルの少なくとも一方は回線交換信号処理の少なくとも初期部分のために使用される請求項７に記載の方法。
【請求項９】
上記回線交換信号処理の初期段階に続いて、実行中の回線交換信号交換のために従来の回線交換接続を使用するステップを含む請求項８に記載の方法。
【請求項１０】
上記移動無線通信装置が上記チャネルの少なくとも一方に対するサポートを上記ネットワーク内のネットワークコントローラへ信号処理するステップと、上記ネットワーク内のネットワークコントローラにおいて、回線交換信号処理のために上記チャネルの少なくとも一方を割当てることによって上記チャネルに対するサポートの信号処理に応答するステップとを含む請求項７、８又は９に記載の方法。
【請求項１１】
無線ネットワークコントローラで、上記必要とされる回線交換信号処理用にセルを構成するために、これらのセルに対する測定要求を修正するステップをふくむ請求項７、８、９又は１０に記載の方法。
【請求項１２】
請求項１又は２に記載の移動無線通信装置および、請求項３から６の少なくとも一つ以上に記載のネットワークコントローラ装置の少なくとも一つを含む移動無線通信システム。
【請求項１３】
実質的に、添付図面を参照してこれまでに説明した移動無線通信装置。
【請求項１４】
実質的に、添付図面を参照してこれまでに説明した、無線通信ネットワークのためのネットワークコントローラ装置。
【請求項１５】
実質的に、添付図面を参照してこれまでに説明した、移動無線通信装置とネットワークコントローラ装置との間の回線交換信号処理方法。
【請求項１６】
実質的に、添付図面を参照してこれまでに説明した移動無線通信システム。
【発明の詳細な説明】
【技術分野】
【０００１】
本発明は、移動無線通信ネットワーク装置を使用した移動無線通信装置ならびに関連方法およびシステムに関する。
【背景技術】
【０００２】
移動無線通信ネットワークは、このネットワークに接続された移動無線通信装置と無線ネットワークコントローラ等のネットワーク構成要素間の交換のために、各種形式の信号を使用する。現時点でのいわゆる第三世代ネットワークに関し、第三世代共同プロジェクト（Third Generation Partnership Project （３ＧＰＰ））は現在リリース中のシリーズでもって、ネットワーク操作者および装置業者が遵守しなくてはならない各種基準を定めている。
【０００３】
移動無線通信装置ネットワーク内では、ユーザ装置ならびにネットワーク動作および信号処理の現行方法は不利益な制限をもたらしているにもかかわらず、回線交換（Circuit Switch （ＣＳ））信号処理に関する要求がしばしば発生する。
【０００４】
たとえば、３ＧＰＰによるリリースＲ９９からは、このリリースにしたがって使用される専用物理チャネル（Dedicated Physical Channel （ＤＰＣＨ））に関して問題が生じる。たとえば、伝送速度３．４ｋｂｐｓでは、ＤＰＣＨは不利なことに低速で、これによって回線交換の立ち上げ時間に不利な遅延をもたらすもことがわかった。さらに、回線交換信号処理容量の限界も見られた。
【０００５】
また、無線ネットワークコントローラ（Radio Network Controller （ＲＮＣ））処理負荷に関して、３ＧＰＰ仕様のリリースＲｅｌ−６からわかるように、強化アップリンク専用チャネル（Enriched Uplink Dedicated Channel （ＥＤＣＨ））の使用を通して、さらなる制限がおこり得る。Ｒｅｌ−６ によれば、ＲＮＣ は信号処理速度を上げるためＲ９９  ＤＰＣＨさらにＥＤＣＨも設置せねばならない。もちろん、そのようなＲ９９  ＤＰＣＨとＥＤＣＨとの設置をするには、不利なことに無線リソース管理（Radio Resource Management （ＲＲＭ））の要求が二倍になる。
【０００６】
また、Ｆ−ＤＰＣＨは、パケット交換領域内での符号リソースの要求を制限する試みとしてＲｅｌ−６に導入されたが、回線交換領域に関してＤＰＣＨの使用に関わる上記問題は対処されていない。
【０００７】
上記問題は不利なことに性能上の制限および非効率をもたらす。
【発明の開示】
【発明が解決しようとする課題】
【０００８】
本発明は、このような装置、方法およびシステムに比べてより有利な移動無線通信装置ならびに関連動作方法およびシステム、ならびに関連ネットワーク装置を提供することを目指す。
【課題を解決するための手段】
【０００９】
本発明の第一観点によれば、高速ダウンリンクパケットアクセスチャネルおよび強化アップリンク専用チャネルの少なくとも一方をサポートするように設けられた移動無線通信装置であって、上記チャネルの少なくとも一方のサポートをネットワークコントローラに対して信号処理する手段と、回線交換接続が要求されたことを決定するための手段とを含み、上記装置は回線交換接続が要求されると、上記少なくとも一方のチャネルのサポートを信号処理するように設けられ、これによって、移動無線通信装置ネットワークの無線ネットワークコントローラ装置は上記少なくとも一方のチャネルを回線交換信号交換のために割当てることができるようになる移動無線通信装置が提供される。
【００１０】
上記回線交換接続が要求されたことを決定するための手段は、そのような回線交換接続が要求されたことを上記移動無線通信装置から信号処理するための手段を含むことが好ましい。
【００１１】
本発明の別の観点によれば、移動無線通信ネットワークのためのネットワークコントロール装置であって高速ダウンリンクパケットアクセスチャネルおよび強化アップリンク専用チャネルの少なくとも一方をサポートすることを指示する信号を移動無線通信装置から受信するための手段を含み、上記ネットワークコントローラ装置は高速ダウンリンクパケットアクセスチャネルあるいはアップリンク専用チャネルのそれぞれを回線交換信号交換のために上記移動無線通信装置に割当てるように設けられるネットワークコントロール装置が提供される。
【００１２】
上記ネットワークコントローラ装置は移動無線通信装置との回線交換信号交換のために回線交換ベアラをその後割当てるように設けられ得る利点がある。
【００１３】
特に、上記ネットワークコントローラは実行中の回線交換信号交換の以降の処理のために従来の専用チャネルを割当てるように設けられる。
【００１４】
またさらに、上記無線ネットワークコントローラは、上記特定の回線交換信号に関連するセル構造を使用するためにセル内の要求を修正するように設けられ得る。
【００１５】
本発明のまた別の観点によれば、移動無線通信ネットワーク内で移動無線通信装置とネットワークコントローラとの間の回線交換信号処理方法であって、回線交換信号処理を提供するために高速ダウンリンクパケットアクセスチャネルおよび強化アップリンク専用チャネルの一方を使用するステップを含む回線交換信号処理方法が提供される。
【００１６】
特に、上記チャネルのどちらか一方は回線交換信号処理の少なくとも初期段階のために使用され得る。
【００１７】
このように、上記方法は、上記回線交換信号処理の初期段階に続いて、実行中の回線交換信号交換のために従来の回線交換接続を使用するステップを含み得る。
【００１８】
本方法は、また、上記移動無線通信装置が上記チャネルの少なくとも一方に対するサポートを上記ネットワーク内のネットワークコントローラへ信号処理するステップと、上記ネットワーク内のネットワークコントローラにおいて、回線交換信号処理のために上記チャネルの少なくとも一方を割当てることによって上記チャネルに対するサポートの信号処理に応答するステップとをさらに含み得る。
【００１９】
またさらに、上記方法は、無線ネットワークコントローラで、上記必要とされる回線交換信号処理用にセルを構成するために、これらのセルに対する測定要求を修正するステップを含み得る。
【００２０】
本発明のまた別の観点によれば、上記に定義された移動無線通信装置および上記に定義されたネットワークコントローラ装置の少なくとも一方を含む移動無線通信システムが提供される。
【００２１】
以下のさらなる説明から理解されるように、本発明は、初期回線交換信号交換のために高速ダウンリンクパケットアクセスおよび／または強化アップリンク専用チャネルベアラの選択を許すことによって、上記の速度上の制限および非効率を有利に低減できる利点がある。
【００２２】
上記の従来技術を改善する本発明による作用を向上させるために、移動無線通信装置はできるだけ早く高速ダウンリンクパケットアクセスチャネルおよび／または強化アップリンク専用チャネルへのサポートを指示し、これによって無線ネットワークコントローラがそのようなチャネルを、適宜、回線交換信号処理に割当てるようにする利点がある。
【００２３】
本発明は、高速ダウンリンクパケットアクセスチャネルおよび／または強化アップリンク専用チャネルへの信号処理サポートに有利なように、また、回線交換信号処理に関連する利用について有利なように設けられている。
【発明を実施するための最良の形態】
【００２４】
以下、本発明を、無線通信装置システムおよび関連する操作の構成要素を示す添付図面を参照して本発明の一実施形態にしたがってさらに説明する。
【００２５】
図１では、移動無線通信ネットワークの一部である移動無線通信システム１０が示され、該システムは移動無線通信装置の送受器の形態であるユーザ装置１２と、ＵＭＴＳ地上無線アクセスネットワーク（Terrestrial Radio Access Network （ＵＴＲＡＮ））１４と、信号交換用信号処理を確立するための本発明の一実施例にしたがって発生する信号１６、１８とを使用する。
【００２６】
初めに、回線交換信号処理を確立するための接続管理サービス要求をユーザの送受器１２から送出する必要があると、これは、当然ながら、送受器１２で受信したページング信号への応答によって、または、通信セッションの始動を探索している送受器１２によって起こり得る。送受器１２は、ＨＳＤＰＡおよび／またはＥＤＣＨチャネルのサポートを指示すように設けられている。これは、ＨＳＤＰＡチャネル回路１２１およびＥＤＣＨチャネル回路１２２を含む。このような信号は矢印１６で示され、ＵＴＲＡＮ１４のＲＮＣ１１へ送られる。送受器１２はさらに、回線交換信号処理セッション制御回路１２３も必要なことを示すために設けられている。
【００２７】
信号処理セッション制御回路１２３はこれらのチャネルの少なくとも一方をサポートするために上記信号をＲＮＣへ送り、また、必要とされるＨＳＤＰＡチャネル回路１２１または／およびＥＤＣＨチャネル回路１２２への回線交換接続を決定する。
【００２８】
送受器１２の信号処理セッション制御回路１２３からの信号１６を受信すると、ＵＴＲＡＮ１４内のＲＮＣ１１は直ちにその情報を使用してＨＳＤＰＡおよび／またはＥＤＣＨベアラを選択するように設けられていて、決定されたベアラは必要とされる回線交換信号交換のサポートのために送受器１２に割当てられる。
【００２９】
したがって、送受器１２の信号処理セッション制御回路１２３からネットワークへの回線交換信号処理の初期段階は、ＳＤＰＡチャネル回路１２１およびＥＤＣＨチャネル回路１２２の一方で発生し、したがって、従来技術内で発生する速度上の制限および非効率を有利に低減できる。
【００３０】
回線交換信号交換の初期段階における以降の動作中、および、従来の回線交換ベアラがこの信号交換に割当てられるようにいったん位置づけされると、ＲＮＣ１１はこのような従来の専用制御チャネル（Dedicated Control Channel （ＤＤＣＨ））および他の専用チャネル（Dedicated channel （ＤＣＨ））を割当てるように設けられ、これによってこのチャネル上で実行中の回線交換信号交換を継続できるようになる。
【００３１】
送受器１２でのＨＳＤＰＡチャネルおよびＥＤＣＨチャネルのサポートによって、ＨＳＤＰＡｃａｔ．５チャネルおよびＥＤＣＨチャネルでは、たとえば２Ｍｂｐｓの比較的高速度が有効であることがわかる。図示の実施例のさらなる観点としては、ＵＴＲＡＮ４０内のＲＮＣ１１は、要求される特定の回線交換サービスに関するセル構成に適応するための測定要求を修正するように設けられ得る。
【００３２】
したがって、本発明の概念によれば、移動無線通信装置と関連ネットワークとの間の回線交換信号処理を行うためにＨＳＤＰＡおよびＥＤＣＨベアラを使用することによって、送受器からの回線交換信号処理の少なくとも初期段階を有利にも操作することができる。
【図面の簡単な説明】
【００３３】
【図１】本発明の実施形態における移動無線通信ネットワーク内の移動無線通信システムの概略図である。
【図１】
2009505447.tif 000003
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
高速ダウンリンクパケットアクセスチャネルおよび強化アップリンク専用チャネルの少なくとも一方をサポートするように設けられた移動無線通信装置であって、上記チャネルの少なくとも一方をサポートするためにネットワークコントローラに対して信号処理をする手段と、回線交換接続が要求されたことを決定するための手段とを含み、上記装置は回線交換接続が要求されると、上記少なくとも一方のチャネルのサポートを信号処理するように設けられ、これによって、移動無線通信装置ネットワークの無線ネットワークコントローラは上記少なくとも一方のチャネルを回線交換信号交換のために割当てることができるようになる移動無線通信装置。
【請求項２】
上記回線交換接続が要求されたことを決定するための手段は、そのような回線交換接続が要求されたことを上記移動無線通信装置から信号処理するための手段を含む請求項１に記載の装置。
【請求項３】
移動無線通信ネットワークのためのネットワークコントローラ装置であって高速ダウンリンクパケットアクセスチャネルおよび強化アップリンク専用チャネルの少なくとも一方をサポートすることを指示する信号を移動無線通信装置から受信するための手段を含み、上記ネットワークコントローラ装置は高速ダウンリンクパケットアクセスチャネルあるいはアップリンク専用チャネルのそれぞれを回線交換信号交換のために上記移動無線通信装置に割当てるように設けられるネットワークコントローラ装置。
【請求項４】
移動無線通信装置との以降の回線交換信号交換のために回線交換ベアラを割当てるように設けられる請求項３に記載のネットワークコントローラ装置。
【請求項５】
実行中の回線交換信号交換の以降の処理のために従来の専用チャネルを割当てるように設けられる請求項４に記載のネットワークコントローラ装置。
【請求項６】
上記特定の回線交換信号に関連するセル構造を使用するためにセル内の要求を修正するように設けられる請求項３、４、又は５に記載のネットワークコントローラ装置。
【請求項７】
移動無線通信網内で移動無線通信装置とネットワークコントローラとの間の回線交換信号処理方法であって、回線交換信号処理を提供するために高速ダウンリンクパケットアクセスチャネルおよび強化アップリンク専用チャネルの少なくとも一方を使用するステップを含む回線交換信号処理方法。
【請求項８】
上記チャネルの少なくとも一方は回線交換信号処理の少なくとも初期部分のために使用される請求項７に記載の方法。
【請求項９】
上記回線交換信号処理の初期段階に続いて、実行中の回線交換信号交換のために従来の回線交換接続を使用するステップを含む請求項８に記載の方法。
【請求項１０】
上記移動無線通信装置が上記チャネルの少なくとも一方に対するサポートを上記ネットワーク内のネットワークコントローラへ信号処理するステップと、上記ネットワーク内のネットワークコントローラにおいて、回線交換信号処理のために上記チャネルの少なくとも一方を割当てることによって上記チャネルに対するサポートの信号処理に応答するステップとを含む請求項７、８又は９に記載の方法。
【請求項１１】
無線ネットワークコントローラで、上記必要とされる回線交換信号処理用にセルを構成するために、これらのセルに対する測定要求を修正するステップをふくむ請求項７、８、９又は１０に記載の方法。
【請求項１２】
請求項１又は２に記載の移動無線通信装置および、請求項３から６の少なくとも一つ以上に記載のネットワークコントローラ装置の少なくとも一つを含む移動無線通信システム。
【請求項１３】
実質的に、添付図面を参照してこれまでに説明した移動無線通信装置。
【請求項１４】
実質的に、添付図面を参照してこれまでに説明した、無線通信ネットワークのためのネットワークコントローラ装置。
【請求項１５】
実質的に、添付図面を参照してこれまでに説明した、移動無線通信装置とネットワークコントローラ装置との間の回線交換信号処理方法。
【請求項１６】
実質的に、添付図面を参照してこれまでに説明した移動無線通信システム。
【国際調査報告】
2009505447.tif 000004
2009505447.tif 000005